(57)【特許請求の範囲】
【請求項１】
電子デバイスにより、参考情報に必要とされる異なる種類のフィードバックに従って分割された異なるカテゴリの参考情報のポジションバリューテーブルを取得するステップであり、ポジションバリューテーブルは、それぞれのポジションバリューポイントにおける対応するカテゴリの参考情報の転換率を含み、前記それぞれのポジションバリューポイントは、ネットワークを通じて前記電子デバイスにより複数の電子デバイスから集められた前記カテゴリの全ての参考情報の露出量に従って、前記電子デバイスにより生成され、ポジションバリューポイントは、前記カテゴリの全ての参考情報の露出量の合計の予め設定された部分であり、１つの参考情報の露出量は、前記１つの参考情報が見られる回数を示すステップと、
前記電子デバイスにより、複数の公開対象情報を取得し、前記電子デバイスにより、対応するポジションバリューテーブルを使用することにより、前記複数の公開対象情報のカテゴリに従って前記複数の公開対象情報の転換率に対して正規化処理を実行し、それにより、前記複数の公開対象情報の正規化された転換率を取得するステップと、
前記電子デバイスにより、前記ネットワーク上で、前記複数の公開対象情報の前記正規化された転換率に従って、前記複数の公開対象情報を選択的に公開するステップと
を含む情報公開方法。
【請求項２】
電子デバイスにより、異なるカテゴリの参考情報のポジションバリューテーブルを取得するステップは、
前記電子デバイスにより、指定のカテゴリの全ての参考情報の露出量及び転換率を取得するステップと、
前記電子デバイスにより、前記指定のカテゴリの全ての参考情報の前記転換率に従って前記指定のカテゴリの全ての参考情報をソートするステップと、
前記電子デバイスにより、前記指定のカテゴリの全ての参考情報の前記露出量及びポジションバリューポイント設定ルールに従って、それぞれのポジションバリューポイントにおける参考情報の転換率を取得するステップと、
前記電子デバイスにより、前記それぞれのポジションバリューポイントにおける前記参考情報の前記転換率を使用することにより、前記指定のカテゴリの全ての参考情報のポジションバリューテーブルを作成するステップと
を更に含む、請求項１に記載の情報公開方法。
【請求項３】
前記電子デバイスにより、指定のカテゴリの全ての参考情報の露出量及び転換率を取得するステップは、
前記電子デバイスにより、指定の期間内の各時間ウィンドウにおける前記指定のカテゴリの全ての参考情報のウィンドウ露出量及びウィンドウ転換率を取得するステップと、
前記電子デバイスにより、各時間ウィンドウの時間情報を使用することにより、各時間ウィンドウにおける前記指定のカテゴリの全ての参考情報の前記ウィンドウ露出量及び前記ウィンドウ転換率を修正し、それにより、各時間ウィンドウの前記指定のカテゴリの全ての参考情報の修正されたウィンドウ露出量及び修正されたウィンドウ転換率を取得するステップと、
前記電子デバイスにより、前記指定のカテゴリの全ての参考情報に対応する全ての時間ウィンドウの修正されたウィンドウ露出量を合計し、それにより、前記指定の期間内の全ての参考情報の露出量を取得し、前記電子デバイスにより、全ての時間ウィンドウの前記修正されたウィンドウ転換率を合計し、前記指定の期間内の前記参考情報の転換率を取得するステップと
を含む、請求項２に記載の情報公開方法。
【請求項４】
前記電子デバイスにより、対応するポジションバリューテーブルを使用することにより、前記複数の公開対象情報のカテゴリに従って前記複数の公開対象情報の転換率に対して正規化処理を実行し、それにより、前記複数の公開対象情報の正規化された転換率を取得するステップは、
前記電子デバイスにより、ポジションバリューテーブルに基づいて１つの公開対象情報の転換率が入る区間を決定するステップと、
前記電子デバイスにより、前記区間の開始値、前記区間の終了値及び前記１つの公開対象情報の前記転換率に従って、前記ポジションバリューテーブルにおける前記１つの公開対象情報の前記転換率のポジションを決定するステップと、
前記電子デバイスにより、前記ポジションバリューテーブルにおける前記１つの公開対象情報の前記転換率の前記ポジションに従って、前記１つの公開対象情報の正規化された転換率を決定するステップと
を含む、請求項１に記載の情報公開方法。
【請求項５】
前記電子デバイスにより、前記ネットワーク上で、前記複数の公開対象情報の前記正規化された転換率に従って、前記複数の公開対象情報を選択的に公開するステップは、
前記電子デバイスにより、正規化された転換率が指定の値以上である公開対象情報を公開するステップを含む、請求項１に記載の情報公開方法。
【請求項６】
参考情報に必要とされる異なる種類のフィードバックに従って分割された異なるカテゴリの参考情報のポジションバリューテーブルを取得するように構成されたポジションバリューテーブル取得モジュールであり、ポジションバリューテーブルは、それぞれのポジションバリューポイントにおける対応するカテゴリの参考情報の転換率を含み、前記それぞれのポジションバリューポイントは、ネットワークを通じて電子デバイスにより複数の電子デバイスから集められた前記カテゴリの全ての参考情報の露出量に従って、前記電子デバイスにより生成され、ポジションバリューポイントは、予め設定された露出量に関するポイントであり、１つの参考情報の露出量は、前記１つの参考情報が見られる回数を示すポジションバリューテーブル取得モジュールと、
複数の公開対象情報を取得し、対応するポジションバリューテーブルを使用することにより、前記複数の公開対象情報のカテゴリに従って前記複数の公開対象情報の転換率に対して正規化処理を実行し、それにより、前記複数の公開対象情報の正規化された転換率を取得するように構成された正規化処理モジュールと、
前記ネットワーク上で、前記複数の公開対象情報の前記正規化された転換率に従って、前記複数の公開対象情報を選択的に公開するように構成された公開モジュールと
を含む情報公開装置。
【請求項７】
指定のカテゴリの全ての参考情報の露出量及び転換率を取得するように構成された参考情報パラメータ取得モジュールと、
前記指定のカテゴリの全ての参考情報の前記転換率に従って前記指定のカテゴリの全ての参考情報をソートするように構成されたソートモジュールと、
前記指定のカテゴリの全ての参考情報の前記露出量及びポジションバリューポイント設定ルールに従って、それぞれのポジションバリューポイントにおける参考情報の転換率を取得するように構成された転換率取得モジュールと、
前記それぞれのポジションバリューポイントにおける前記参考情報の前記転換率を使用することにより、前記指定のカテゴリの全ての参考情報のポジションバリューテーブルを作成するように構成されたポジションバリューテーブル作成モジュールと
を更に含む、請求項６に記載の情報公開装置。
【請求項８】
前記参考情報パラメータ取得モジュールは、
指定の期間内の各時間ウィンドウにおける前記指定のカテゴリの全ての参考情報のウィンドウ露出量及びウィンドウ転換率を取得するように構成されたウィンドウパラメータ取得ユニットと、
各時間ウィンドウの時間情報を使用することにより、各時間ウィンドウにおける前記指定のカテゴリの全ての参考情報の前記ウィンドウ露出量及び前記ウィンドウ転換率を修正し、それにより、各時間ウィンドウの前記指定のカテゴリの全ての参考情報の修正されたウィンドウ露出量及び修正されたウィンドウ転換率を取得するように構成された修正ユニットと、
前記指定のカテゴリの全ての参考情報に対応する全ての時間ウィンドウの修正されたウィンドウ露出量を合計し、それにより、前記指定の期間内の全ての参考情報の露出量を取得し、全ての時間ウィンドウの前記修正されたウィンドウ転換率を合計し、前記指定の期間内の前記参考情報の転換率を取得するように構成された参考情報パラメータ取得ユニットと
を含む、請求項７に記載の情報公開装置。
【請求項９】
前記正規化処理モジュールは、
ポジションバリューテーブルに基づいて１つの公開対象情報の転換率が入る区間を決定するように構成された区間決定ユニットと、
前記区間の開始値、前記区間の終了値及び前記１つの公開対象情報の前記転換率に従って、前記ポジションバリューテーブルにおける前記１つの公開対象情報の前記転換率のポジションを決定するように構成されたポジション決定ユニットと、
前記ポジションバリューテーブルにおける前記１つの公開対象情報の前記転換率の前記ポジションに従って、前記１つの公開対象情報の正規化された転換率を決定するように構成された正規化処理ユニットと
を含む、請求項６に記載の情報公開装置。
【請求項１０】
前記公開モジュールは、正規化された転換率が指定の値以上である公開対象情報を公開するように構成される、請求項６に記載の情報公開装置。
【請求項１１】
コンピュータ記憶媒体であって、
前記コンピュータ記憶媒体は、コンピュータ実行可能命令を記憶し、
前記コンピュータ実行可能命令は、コンピュータにより実行された場合、前記コンピュータに対して請求項１乃至５の情報公開方法のうち１つ以上を実行させる、コンピュータ記憶媒体。
【発明の詳細な説明】
【技術分野】
【０００１】
［関連出願］
この出願は、2016年1月7日に出願された「INFORMATION  RELEASE  METHOD  AND  INFORMATION  RELEASE  APPARATUS」という名称の中国特許出願第201610009656.9号の優先権を主張し、この全内容を参照により援用する。
【０００２】
［技術分野］
本発明は、情報処理の分野に関し、特に、情報公開方法、情報公開装置及び記憶媒体に関する。
【背景技術】
【０００３】
我々の社会における発展によって、人々は、現在では様々なチャネルを使用することにより、広範囲の情報を取得できる。異なるカテゴリの情報について、ユーザフィードバックの効果は異なる可能性がある。例えば、広告情報プッシュのプロセスにおいて、ダウンロード型広告の広告転換率は約10%であり、フォロー（following）型広告の広告転換率は約20%である。このように、プッシュについて、広告転換率に従って広告が選択される場合、多数の優れたダウンロード型広告は、平均のフォロー型広告と競争できず、それにより、広告情報公開の精度に影響を与える。
【０００４】
前述の問題を解決するために、広告公開者は、広告のカテゴリに従って全ての広告に対して正規化処理を実行し、それにより、異なるカテゴリの広告が比較可能性を有するようにする。既存の正規化処理方法は、線形関数の転換、アークコタンジェント（arccot）関数の転換及び標準的な分数関数の転換を一般的に含む。しかし、前述の正規化処理方法を使用することにより取得された結果における誤差は、全て比較的大きく、広告情報公開の精度に影響を与える。
【発明の概要】
【０００５】
本発明の実施例は、広告情報公開の精度を向上させるための情報公開方法及び情報公開装置を提供する。
【０００６】
本発明の実施例は、情報公開方法を提供する。方法は、異なるカテゴリの参考情報のポジションバリューテーブル（position-value  table）を取得するステップであり、ポジションバリューテーブルは、各ポジションバリューポイント（position-value-point）における対応するカテゴリの参考情報の転換率を含み、ポジションバリューポイントは、カテゴリの全ての参考情報の露出量（exposure  amount）に従って生成されるステップと、複数の公開対象情報を取得し、対応するポジションバリューテーブルを使用することにより、複数の公開対象情報のカテゴリに従って複数の公開対象情報の転換率に対して正規化処理を実行し、それにより、複数の公開対象情報の正規化された転換率を取得するステップと、複数の公開対象情報の正規化された転換率に従って、複数の公開対象情報を選択的に公開するステップとを含む。
【０００７】
本発明の実施例は、情報公開装置を更に提供し、異なるカテゴリの参考情報のポジションバリューテーブルを取得するように構成されたポジションバリューテーブル取得モジュールであり、ポジションバリューテーブルは、各ポジションバリューポイントにおける対応するカテゴリの参考情報の転換率を含み、ポジションバリューポイントは、カテゴリの全ての参考情報の露出量に従って生成されるポジションバリューテーブル取得モジュールと、複数の公開対象情報を取得し、対応するポジションバリューテーブルを使用することにより、複数の公開対象情報のカテゴリに従って複数の公開対象情報の転換率に対して正規化処理を実行し、それにより、複数の公開対象情報の正規化された転換率を取得するように構成された正規化処理モジュールと、複数の公開対象情報の正規化された転換率に従って、複数の公開対象情報を選択的に公開するように構成された公開モジュールとを含む。
【０００８】
本発明の実施例は、コンピュータ記憶媒体を更に提供し、コンピュータ記憶媒体は、コンピュータ実行可能命令を記憶し、コンピュータ実行可能命令は、前述の情報公開方法を実行するために使用される。
【０００９】
従来技術における情報公開方法及び情報公開装置に比べて、本発明における情報公開方法及び情報公開装置によれば、正規化処理は、対応するポジションバリューテーブルを使用することにより、複数の公開対象情報のカテゴリに従って公開対象情報に対して実行され、それにより、情報公開の精度及び効率を向上させ、既存の情報公開方法及び情報公開装置における広告公開精度の技術的問題を解決する。
【図面の簡単な説明】
【００１０】
【図１】本発明の実施例による情報公開方法の第１の概略フローチャートである。
【図２】本発明の実施例による情報公開方法の第２の概略フローチャートである。
【図３】本発明の実施例による情報公開方法のステップS201の概略フローチャートである。
【図４】本発明の実施例による情報公開方法のステップS206の概略フローチャートである。
【図５】本発明の実施例による情報公開装置の第１の概略構成図である。
【図６】本発明の実施例による情報公開装置の第２の概略構成図である。
【図７】本発明の実施例による情報公開装置の参考情報パラメータ取得モジュールの概略構成図である。
【図８】本発明の実施例による情報公開装置の正規化処理モジュールの概略構成図である。
【図９】本発明に従って情報公開装置が位置する電子デバイスの動作環境の概略構成図である。
【発明を実施するための形態】
【００１１】
図面を参照すると、図面における同じコンポーネントの符号は同じコンポーネントを表し、本発明の原理は、適切な動作環境において原理が実現される例を使用することにより説明される。以下の説明は、具体的な実施例に基づいており、本発明においてここに詳細に説明していない他の具体的な実施例に対する限定として見なされるべきではない。
【００１２】
以下の説明において、本発明の具体的な実施例について、特に別に明記がない限り、１つ以上のコンピュータにより実行される動作のステップを参照することにより説明する。したがって、これらのステップ及び動作は説明から習得でき、ステップ及び動作が構造化されたパターンのデータを表す電子信号のコンピュータ処理ユニットにより操作されることを含み、ステップ及び動作がコンピュータにより実行されるということが複数回言及される。操作は、コンピュータの内部メモリシステム内の位置においてデータを変換したり、或いはデータを維持管理したりし、操作は、当業者に周知の方式でコンピュータの動作を再び構成したり、或いはコンピュータの動作を更に変更したりしてもよい。データについて維持管理されるデータ構造は、内部メモリの物理位置であり、データ構造は、データにより規定される特定の特徴を有する。しかし、本発明の原理が前述の文章を使用することにより説明されるということは、限定を表すものではなく、当業者は、以下のステップ及び動作が代替としてハードウェアで実現されてもよいことを習得し得る。
【００１３】
本発明の情報公開装置は、様々な電子デバイスを使用することにより実現されてもよい。電子デバイスは、パーソナルコンピュータ、サーバコンピュータ、ハンドヘルド又はラップトップデバイス、モバイルデバイス（移動電話、パーソナルデジタルアシスタント（PDA）又はメディアプレイヤ）、マルチプロセッサシステム、消費型電子デバイス、小型コンピュータ、大規模コンピュータ、前述のシステム又はデバイスのいずれかを含む分散コンピューティング環境等を含むが、これらに限定されない。しかし、電子デバイスは、好ましくは、広告公開の精度を効率的に向上するための情報公開サーバである。
【００１４】
図１は、本発明による情報公開方法の実施例のフローチャートである。この実施例における情報公開方法は、前述の電子デバイスを使用することにより実現されてもよい。図１を参照すると、情報公開方法は以下を含んでもよい。
【００１５】
S101：異なるカテゴリの参考情報のポジションバリューテーブルを取得する。
【００１６】
S102：複数の公開対象情報を取得し、公開対象情報のカテゴリに基づいて、対応するポジションバリューテーブルを使用して公開対象情報の転換率に対して正規化処理を実行し、公開対象情報のそれぞれの正規化された転換率を取得する。
【００１７】
S103：複数の公開対象情報の正規化された転換率に従って、複数の公開対象情報を選択的に公開する。
【００１８】
以下に、この実施例における情報公開方法の具体的なフローを詳細に説明する。S101において、情報公開装置は、異なるカテゴリの参考情報のポジションバリューテーブルを取得する。ここでの参考情報は、広告情報、プロモーション情報等でもよい。参考情報は、異なるフィードバック効果又はフィードバック難易度が必要とされるため、異なるカテゴリに分割される。例えば、ユーザが見るためにクリックすることを必要とする広告は、ビュー型広告でもよく、ユーザがアプリケーションをダウンロードすることを必要とする広告は、ダウンロード型広告であり、ユーザがフォローするためにクリックすることを必要とする広告は、フォロー型広告でもよい。異なるカテゴリの参考情報の転換率が正常であるか否かを決定するために、異なる基準が使用されてもよい。
【００１９】
ポジションバリューテーブルは、各ポジションバリューポイントにおける対応するカテゴリの参考情報の転換率を含み、ポジションバリューポイントは、カテゴリの全ての参考情報の露出量に従って生成される。例えば、或るカテゴリの全ての参考情報は、転換率の値に従ってソートされ、次に、全ての参考情報の合計露出量に従って１０個の等しい部分に分割され、合計露出量は、0%、10%、20%...90%及び100%である。次に、１０個の等しい部分を設定することにより取得された１０個の露出値は、ポジションバリューテーブルにおけるポジションバリューポイントの値として使用される。ポジションバリューポイントと転換率との間のマッピング関係は、ポジションバリューテーブルにおいて直接設定される。
【００２０】
例えば、２つの隣接するポジションバリューポイントは、ポジションバリューポイントにより形成される区間を形成でき、１つの参考情報の露出量がその区間内に位置するときに、参考情報の転換率は、ポジションバリューテーブルに問い合わせることにより、参考情報の露出量の区間と前述のマッピング関係とに従って決定されてもよい。明らかに、区間毎に対応する転換率関数が設定され、参考情報の転換率は、区間の対応する関数関係と参考情報の露出量及び／又は対応する区間のポジションバリューポイントとを使用することにより計算されてもよい。このように、正規化された転換率が取得される。次に、ステップS102が実行される。
【００２１】
S102において、情報公開装置は、複数の公開対象情報を取得し、次に、S101において取得されたポジションバリューテーブルを使用することにより、取得された公開対象情報のカテゴリに従って公開対象情報の転換率に対して正規化処理を実行する。すなわち、異なるカテゴリの公開対象情報の転換率は、同じ基準を使用することにより設定され、それにより、異なるカテゴリの公開対象情報の正規化された転換率を取得する。次に、ステップS103が実行される。
【００２２】
S103において、情報公開装置は、S102において取得された異なるカテゴリの公開対象情報の正規化された転換率に従って、複数の公開対象情報を選択的に公開する。すなわち、等しい条件で、正規化された転換率が比較的高い公開対象情報が最初に公開され、それにより、情報公開の精度を向上させる。
【００２３】
この実施例における情報公開方法によれば、正規化処理は、異なるカテゴリの参考情報のポジションバリューテーブルを使用することにより、公開対象情報に対して実行され、それにより、広告情報公開の精度が向上できる。
【００２４】
図２を参照すると、図２は、本発明の実施例による情報公開方法の概略フローチャートである。この実施例における情報公開方法は、前述の電子デバイスを使用することにより実現されてもよい。情報公開方法は以下を含んでもよい。
【００２５】
S201：指定のカテゴリの全ての参考情報の露出量及び転換率を取得する。
【００２６】
S202：参考情報の転換率に従って全ての参考情報をソートする。
【００２７】
S203：参考情報の露出量及びポジションバリューポイント設定ルールに基づいて、各ポジションバリューポイントにおける参考情報の転換率を取得する。
【００２８】
S204：各ポジションバリューポイントにおける参考情報の転換率を使用することにより、指定のカテゴリの参考情報のポジションバリューテーブルを作成する。
【００２９】
S205：異なるカテゴリの参考情報のポジションバリューテーブルを取得する。
【００３０】
S206：複数の公開対象情報を取得し、複数の公開対象情報のカテゴリに基づいて、複数の公開対象情報の転換率に対して正規化処理を実行し、複数の公開対象情報の正規化された転換率を取得する。
【００３１】
S207：複数の公開対象情報の正規化された転換率に従って、複数の公開対象情報を選択的に公開する。
【００３２】
以下に、この実施例における情報公開方法の具体的なフローを詳細に説明する。
【００３３】
S201において、情報公開装置は、指定のカテゴリの全ての参考情報の露出量及び転換率を取得する。ここでの露出量は、参考情報が掲載されてプッシュされた回数、例えば、広告ページビューの数でもよい。転換率は、参考情報の露出量に対して、掲載された参考情報から転換されたユーザの予め設定されたフィードバック操作（クリック又はダウンロード操作等）の数の比でもよい。
【００３４】
具体的には、図３を参照する。図３は、本発明による情報公開方法のS201のフローチャートである。ステップS201は以下を含む。
【００３５】
S301：指定の期間内の各時間ウィンドウにおける指定のカテゴリの参考情報のウィンドウ露出量及びウィンドウ転換率を取得する。
【００３６】
指定の期間として１０日が使用され且つ時間ウィンドウが日付単位で測定される場合、１０日の各日付の指定のカテゴリの参考情報のウィンドウ露出量及びウィンドウ転換率が取得され、すなわち、１０個のウィンドウ露出量及び１０個のウィンドウ転換率が参考情報毎にそれぞれ取得される。
【００３７】
S302：時間ウィンドウの時間情報を使用することにより、参考情報のウィンドウ露出量及びウィンドウ転換率を修正する。ウィンドウ転換率及びウィンドウ露出量は、持続時間が増加すると変化し、より最近の時刻のウィンドウ転換率及びウィンドウ露出量がより正確である。したがって、参考情報のウィンドウ露出量及びウィンドウ転換率を正確に取得するために、参考情報のウィンドウ露出量及びウィンドウ転換率は、時間ウィンドウの時間情報を使用することにより修正され、それにより、参考情報に対応する時間ウィンドウの修正されたウィンドウ露出量及び修正されたウィンドウ転換率を取得する。修正されたウィンドウ露出量は、一般的にウィンドウ露出量と露出量修正重みとの積に等しい。現時刻により近いウィンドウ露出量に対応する露出量修正重みは、より大きい重みを有する。修正されたウィンドウ転換率は、一般的にウィンドウ転換率と転換率修正重みとの積に等しく、現時刻により近いウィンドウ露出量に対応する修正重みは、より大きい重みを有する。
【００３８】
S303：S302において取得された参考情報に対応する時間ウィンドウの修正されたウィンドウ露出量を合計し、それにより、指定の期間内の参考情報の露出量を取得し、同時に、S302において取得された参考情報に対応する時間ウィンドウの修正されたウィンドウ転換率を合計し、それにより、指定の期間内の参考情報の転換率を取得する。次に、ステップS202が実行される。
【００３９】
S202において、情報公開装置は、S201において取得された参考情報の転換率に従って全ての参考情報をソートし、例えば、参考情報の転換率に従って全ての参考情報を昇順にソートし、次に、ステップ203が実行される。
【００４０】
S203において、情報公開装置は、S201において取得された参考情報の露出量及びポジションバリューポイント設定ルールに従って、各ポジションバリューポイントにおける参考情報の転換率を取得する。ここで、ポジションバリューポイントは、露出量に従ってソートされた全ての参考情報の転換率の中で設定される。例えば、露出量が合計量の0%である位置における参考情報の転換率は、第１のポジションバリューポイントとして使用され、露出量が合計量の10%である位置における参考情報の転換率は、第２のポジションバリューポイントとして使用され、以下同様に、露出量が合計量の100%である位置における参考情報の転換率は、第１１のポジションバリューポイントとして使用される。１１個のポジションバリューポイントの中でいずれか２つの隣接するポジションバリューポイントは、区間を形成でき、各区間は、参考情報の１つのカテゴリに対応し、それにより、全ての参考情報の転換率を１０個のカテゴリに分割し、同時に、第１のポジションバリューポイントから第１１のポジションバリューポイントまでの参考情報の転換率を取得する。
【００４１】
S204において、情報公開装置は、S203において取得された各ポジションバリューポイントにおける転換率を使用することにより、指定のカテゴリの参考情報のポジションバリューテーブルを作成する。次に、ステップS205が実行される。
【００４２】
S205において、情報公開装置は、異なるカテゴリの参考情報のポジションバリューテーブルを取得する。ここでの参考情報は、広告情報、プロモーション情報等でもよい。参考情報は、異なるフィードバック効果又はフィードバック難易度が必要とされるため、異なるカテゴリに分割される。例えば、ユーザが見るためにクリックすることを必要とする広告は、ビュー型広告でもよく、ユーザがアプリケーションをダウンロードすることを必要とする広告は、ダウンロード型広告であり、ユーザがフォローするためにクリックすることを必要とする広告は、フォロー型広告でもよい。異なるカテゴリの参考情報の転換率が正常であるか否かを決定するために、異なる基準が使用されてもよい。
【００４３】
ポジションバリューテーブルは、各ポジションバリューポイントにおける対応するカテゴリの参考情報の転換率を含み、ポジションバリューポイントは、カテゴリの全ての参考情報の露出量に従って生成される。例えば、或るカテゴリの全ての参考情報は、転換率の値に従ってソートされ、次に、全ての参考情報の合計露出量に従って１０個の等しい部分に分割され、合計露出量が0%、10%、20%...90%及び100%であるポイントは、ポジションバリューテーブルのポジションバリューポイントである。次に、ステップS206が実行される。
【００４４】
S206において、情報公開装置は、複数の公開対象情報を取得し、S205において取得されたポジションバリューテーブルを使用することにより、取得された公開対象情報のカテゴリに従って複数の公開対象情報の転換率に対して正規化処理を実行する。すなわち、異なるカテゴリの公開対象情報の転換率は、同じ基準を使用することにより設定され、それにより、異なるカテゴリの公開対象情報の正規化された転換率を取得する。
【００４５】
具体的には、図４を参照する。図４は、本発明による情報公開方法のS206の概略フローチャートである。S206は以下を含む。
【００４６】
S401：対応するポジションバリューテーブルにおいて公開対象情報の転換率の区間を決定する。ポジションバリューテーブルにおける全ての公開対象情報の転換率は、値によってソートされ、ポジションバリューテーブルのポジションバリューポイントにおいて、全ての参考情報の転換率は、参考情報の露出量に従って複数の区間に分割される。例えば、第１の区間は、露出量が合計露出量の0%〜10%を占める全ての参考情報の転換率を含み、第２の区間は、露出量が合計露出量の10%〜20%を占める全ての参考情報の転換率を含み、以下同様である。このように、ポジションバリューテーブルにおける公開対象情報の転換率の区間位置は、ポジションバリューテーブルに従って決定されてもよい。例えば、第１の区間内の参考情報の転換率は0.05〜0.1であり、第２の区間内の参考情報の転換率は0.1〜0.13であり、第３の区間内の参考情報の転換率は、0.13〜0.2である。公開対象情報の転換率が0.15である場合、公開対象情報の転換率は、ポジションバリューテーブルの第３の区間内に位置する。
【００４７】
S402：S401において取得された区間の開始値及び区間の終了値と、公開対象情報の転換率とに基づいて、ポジションバリューテーブルにおける公開対象情報の転換率のポジションを決定する。公開対象情報の転換率がポジションバリューテーブルの第３の区間内に位置する場合、区間の区間開始値は0.13であり、区間の区間終了値は0.2であり、公開対象情報の転換率が0.15である場合、ポジションバリューテーブルにおける公開対象情報の転換率のポジションは、A+(0.15-0.13)/(0.2-0.13)/Bである。ここで、Aは全ての区間内の第３の区間の開始ポジションであり、Bは区間の総数である。ポジションバリューテーブルが１０個の区間に等しく分割される場合、Aの値は0.2であり、Bの値は10である。このように、ポジションバリューテーブルにおける公開対象情報の転換率のポジションは、0.2+(0.15-0.13)/(0.2-0.13)/10=0.228である。
【００４８】
S403：ポジションバリューテーブルにおける公開対象情報の転換率のポジションに従って、公開対象情報の正規化された転換率を決定し、ポジションはS402において取得される。ポジションバリューテーブルにおける最大の正規化された転換率が1である場合、公開対象情報の正規化された転換率は0.228である。次に、ステップS207が実行される。
【００４９】
S207において、情報公開装置は、S206において取得された異なるカテゴリの複数の公開対象情報の正規化された転換率に従って、複数の公開対象情報を選択的に公開する。すなわち、等しい条件で、正規化された転換率が比較的高い公開対象情報が最初に公開され、それにより、情報公開の精度及び効率を向上させる。
【００５０】
前述の実施例に基づいて、この実施例における情報公開方法によれば、ポジションバリューテーブルの作成及び参考情報の露出量及び転換率の修正により、広告情報公開の精度が更に向上する。
【００５１】
図５を参照すると、図５は、本発明の実施例による情報公開装置の概略構成図である。この実施例における情報公開装置は、前述の情報公開方法を実現してもよい。情報公開装置50は、ポジションバリューテーブル取得モジュール51、正規化処理モジュール52、公開モジュール53等を含む。
【００５２】
ポジションバリューテーブル取得モジュール51は、異なるカテゴリの参考情報のポジションバリューテーブルを取得するように構成され、ポジションバリューテーブルは、各ポジションバリューポイントにおける対応するカテゴリの参考情報の転換率を含む。ポジションバリューポイントは、カテゴリの全ての参考情報の露出量に従って生成される。正規化処理モジュール52は、複数の公開対象情報を取得し、対応するポジションバリューテーブルを使用することにより、複数の公開対象情報のカテゴリに従って複数の公開対象情報の転換率に対して正規化処理を実行し、それにより、複数の公開対象情報の正規化された転換率を取得するように構成される。公開モジュール53は、公開対象情報の正規化された転換率に従って、複数の公開対象情報を選択的に公開するように構成される。
【００５３】
情報公開装置50の動作中に、特定の実施例では、ポジションバリューテーブル取得モジュール51は、まず、異なるカテゴリの参考情報のポジションバリューテーブルを取得する。ここでの参考情報は、広告情報、プロモーション情報等でもよい。参考情報は、異なるフィードバック効果又はフィードバック難易度が必要とされるため、異なるカテゴリに分割される。例えば、ユーザが見るためにクリックすることを必要とする広告は、ビュー型広告でもよく、ユーザがアプリケーションをダウンロードすることを必要とする広告は、ダウンロード型広告であり、ユーザがフォローするためにクリックすることを必要とする広告は、フォロー型広告でもよい。異なるカテゴリの参考情報の転換率が正常であるか否かを管理する基準は異なる。
【００５４】
ポジションバリューテーブルは、各ポジションバリューポイントにおける対応するカテゴリの参考情報の転換率を含み、ポジションバリューポイントは、カテゴリの全ての参考情報の露出量に従って生成される。例えば、或るカテゴリの全ての参考情報は、転換率の値に従ってソートされ、次に、全ての参考情報の合計露出量に従って１０個の等しい部分に分割され、合計露出量が0%、10%、20%...90%及び100%であるポイントは、ポジションバリューテーブルのポジションバリューポイントである。
【００５５】
次に、正規化処理モジュール52は、複数の公開対象情報を取得し、次に、ポジションバリューテーブル取得モジュール51により取得されたポジションバリューテーブルを使用することにより、取得された複数の公開対象情報のカテゴリに従って複数の公開対象情報の転換率に対して正規化処理を実行する。すなわち、異なるカテゴリの公開対象情報の転換率は、同じ基準を使用することにより設定され、それにより、異なるカテゴリの公開対象情報の正規化された転換率を取得する。
【００５６】
最後に、公開モジュール53は、正規化処理モジュール52により取得された異なるカテゴリの公開対象情報の正規化された転換率に従って、複数の公開対象情報を選択的に公開する。すなわち、等しい条件で、正規化された転換率が比較的高い公開対象情報が最初に公開され、それにより、情報公開の精度を向上させる。
【００５７】
このように、この実施例における情報公開装置50の情報公開プロセスが完了する。この実施例における情報公開装置によれば、正規化処理は、異なるカテゴリの参考情報のポジションバリューテーブルを使用することにより、公開対象情報に対して実行され、それにより、広告情報公開の精度が向上できる。
【００５８】
図６を参照すると、図６は、本発明の実施例による情報公開装置の他の概略構成図である。この実施例における情報公開装置は、前述の情報公開方法を実現してもよい。情報公開装置60は、参考情報パラメータ取得モジュール61と、ソートモジュール62と、転換率取得モジュール63と、ポジションバリューテーブル作成モジュール64と、ポジションバリューテーブル取得モジュール65と、正規化処理モジュール66と、公開モジュール67とを含む。
【００５９】
参考情報パラメータ取得モジュール61は、指定のカテゴリの全ての参考情報の露出量及び転換率を取得するように構成される。ソートモジュール62は、参考情報の転換率に従って全ての参考情報をソートするように構成される。転換率取得モジュール63は、参考情報の露出量及びポジションバリューポイント設定ルールに従って、各ポジションバリューポイントにおける参考情報の転換率を取得するように構成される。ポジションバリューテーブル作成モジュール64は、各ポジションバリューポイントにおける参考情報の転換率を使用することにより、指定のカテゴリの参考情報のポジションバリューテーブルを作成するように構成される。ポジションバリューテーブル取得モジュール65は、異なるカテゴリの参考情報のポジションバリューテーブルを取得するように構成され、ポジションバリューテーブルは、各ポジションバリューポイントにおける対応するカテゴリの参考情報の転換率を含み、ポジションバリューポイントは、カテゴリの全ての参考情報の露出量に従って生成される。正規化処理モジュール66は、複数の公開対象情報を取得し、対応するポジションバリューテーブルを使用することにより、公開対象情報のカテゴリに従って公開対象情報の転換率に対して正規化処理を実行し、公開対象情報の正規化された転換率を取得するように構成される。公開モジュール67は、公開対象情報の正規化された転換率に従って、複数の公開対象情報を選択的に公開するように構成される。
【００６０】
図７を参照すると、図７は、本発明の実施例による情報公開装置の参考情報パラメータ取得モジュールの概略構成図である。参考情報パラメータ取得モジュール61は、ウィンドウパラメータ取得ユニット71と、修正ユニット72と、参考情報パラメータ取得ユニット73とを含む。
【００６１】
ウィンドウパラメータ取得ユニット71は、指定の期間内の各時間ウィンドウにおける指定のカテゴリの全ての参考情報のウィンドウ露出量及びウィンドウ転換率を取得するように構成される。修正ユニット72は、時間ウィンドウの時間情報を使用することにより、参考情報のウィンドウ露出量及びウィンドウ転換率を修正し、参考情報に対応する時間ウィンドウの修正されたウィンドウ露出量及び修正されたウィンドウ転換率を取得するように構成される。参考情報パラメータ取得ユニット73は、参考情報に対応する各時間ウィンドウの修正されたウィンドウ露出量を合計し、指定の期間内の参考情報の露出量を取得し、参考情報に対応する各時間ウィンドウの修正されたウィンドウ転換率を合計し、指定の期間内の参考情報の転換率を取得するように構成される。
【００６２】
図８を参照すると、図８は、本発明の実施例による情報公開装置の正規化処理モジュールの概略構成図である。正規化処理モジュール66は、区間決定ユニット81と、ポジション決定ユニット82と、正規化処理ユニット83とを含む。
【００６３】
区間決定ユニット81は、対応するポジションバリューテーブルにおいて公開対象情報の転換率の区間を決定するように構成される。ポジション決定ユニット82は、区間の開始値及び区間の終了値と、公開対象情報の転換率とに従って、ポジションバリューテーブルにおける公開対象情報の転換率のポジションを決定するように構成される。正規化処理ユニット83は、ポジションバリューテーブルにおける公開対象情報の転換率のポジションに従って、公開対象情報の正規化された転換率を決定するように構成される。
【００６４】
この実施例における情報公開装置60の動作中に、参考情報パラメータ取得モジュール61は、まず、指定のカテゴリの全ての参考情報の露出量及び転換率を取得する。ここでの露出量は、参考情報が掲載されてプッシュされた回数、例えば、広告ページビューの数でもよい。転換率は、参考情報の露出量に対して、掲載された参考情報から転換されたユーザの予め設定されたフィードバック操作（クリック又はダウンロード操作等）の数の比でもよい。
【００６５】
任意選択で、参考情報パラメータ取得モジュール61のウィンドウパラメータ取得ユニット71は、指定の期間内の各時間ウィンドウにおける指定のカテゴリの参考情報のウィンドウ露出量及びウィンドウ転換率を取得するように構成される。
【００６６】
指定の期間として１０日が使用され且つ時間ウィンドウが日付単位で測定される場合、１０日の各日付の指定のカテゴリの参考情報のウィンドウ露出量及びウィンドウ転換率が取得され、すなわち、１０個のウィンドウ露出量及び１０個のウィンドウ転換率が参考情報毎にそれぞれ取得される。
【００６７】
参考情報パラメータ取得モジュール61の修正ユニット72は、時間ウィンドウの時間情報を使用することにより、参考情報のウィンドウ露出量及びウィンドウ転換率を修正する。ウィンドウ転換率及びウィンドウ露出量は、持続時間が増加すると変化し、より最近の時刻のウィンドウ転換率及びウィンドウ露出量がより正確である。したがって、参考情報のウィンドウ露出量及びウィンドウ転換率を正確に取得するために、参考情報のウィンドウ露出量及びウィンドウ転換率は、時間ウィンドウの時間情報を使用することにより修正され、それにより、参考情報に対応する時間ウィンドウの修正されたウィンドウ露出量及び修正されたウィンドウ転換率を取得する。修正されたウィンドウ露出量は、一般的にウィンドウ露出量と露出量修正重みとの積に等しく、現時刻により近いウィンドウ露出量に対応する露出量修正重みは、より大きい重みを有する。修正されたウィンドウ転換率は、一般的にウィンドウ転換率と転換率修正重みとの積に等しく、現時刻により近いウィンドウ露出量に対応する転換率修正重みは、より大きい重みを有する。
【００６８】
参考情報パラメータ取得モジュール61の参考情報パラメータ取得ユニット73は、修正ユニット72により取得された参考情報に対応する時間ウィンドウの修正されたウィンドウ露出量を合計し、指定の期間内の参考情報の露出量を取得し、同時に、修正ユニットにより取得された参考情報に対応する各時間ウィンドウの修正されたウィンドウ転換率を合計し、指定の期間内の参考情報の転換率を取得する。
【００６９】
さらに、ソートモジュール62は、参考情報パラメータ取得モジュール61により取得された参考情報の転換率に従って全ての参考情報をソートし、例えば、参考情報の転換率に従って全ての参考情報を昇順にソートする。
【００７０】
さらに、転換率取得モジュール63は、参考情報パラメータ取得モジュール61により取得された参考情報の露出量及びポジションバリューポイント設定ルールに従って、各ポジションバリューポイントにおける参考情報の転換率を取得する。ここで、ポジションバリューポイントは、露出量に従って全ての参考情報の転換率の中で設定される。例えば、露出量が合計量の0%であるポジションにおける参考情報の転換率は、第１のポジションバリューポイントとして使用され、露出量が合計量の10%であるポジションにおける参考情報の転換率は、第２のポジションバリューポイントとして使用され、以下同様に、露出量が合計量の100%であるポジションにおける参考情報の転換率は、第１１のポジションバリューポイントとして使用され、それにより、全ての参考情報の転換率を１０個のカテゴリに分割し、同時に、第１のポジションバリューポイントから第１１のポジションバリューポイントに対応する参考情報の転換率を取得する。
【００７１】
さらに、ポジションバリューテーブル作成モジュール64は、転換率取得モジュール63により取得された各ポジションバリューポイントにおける転換率を使用することにより、指定のカテゴリの参考情報のポジションバリューテーブルを作成する。
【００７２】
さらに、ポジションバリューテーブル取得モジュール65は、異なるカテゴリの参考情報のポジションバリューテーブルを取得する。ここでの参考情報は、広告情報、プロモーション情報等でもよい。参考情報は、異なるフィードバック効果又はフィードバック難易度が必要とされるため、異なるカテゴリに分割される。例えば、ユーザが見るためにクリックすることを必要とする広告は、ビュー型広告でもよく、ユーザがアプリケーションをダウンロードすることを必要とする広告は、ダウンロード型広告であり、ユーザがフォローするためにクリックすることを必要とする広告は、フォロー型広告でもよい。異なるカテゴリの参考情報の転換率が正常であるか否かを管理する基準は異なる。
【００７３】
ポジションバリューテーブルは、各ポジションバリューポイントにおける対応するカテゴリの参考情報の転換率を含み、ポジションバリューポイントは、カテゴリの全ての参考情報の露出量に従って生成される。例えば、カテゴリの全ての参考情報は、転換率の値に従ってソートされ、次に、全ての参考情報の合計露出量に従って１０個の等しい部分に分割され、合計露出量が0%、10%、20%...90%及び100%であるポイントは、ポジションバリューテーブルのポジションバリューポイントである。
【００７４】
さらに、正規化処理モジュール66は、複数の公開対象情報を取得し、次に、ポジションバリューテーブル取得モジュール65により取得されたポジションバリューテーブルを使用することにより、取得された公開対象情報のカテゴリに従って公開対象情報の転換率に対して正規化処理を実行する。すなわち、異なるカテゴリの公開対象情報の転換率は、同じ基準を使用することにより設定され、それにより、異なるカテゴリの公開対象情報の正規化された転換率を取得する。
【００７５】
任意選択で、正規化処理モジュール66の区間決定ユニット81は、対応するポジションバリューテーブルにおいて公開対象情報の転換率の区間を決定する。ポジションバリューテーブルにおける全ての公開対象情報の転換率は、値によってソートされ、ポジションバリューテーブルのポジションバリューポイントにおいて、全ての公開対象情報の転換率は、参考情報の露出量に従って複数の区間に分割される。例えば、第１の区間は、露出量が合計露出量の0%〜10%を占める全ての参考情報の転換率を含み、第２の区間は、露出量が合計露出量の10%〜20%を占める全ての参考情報の転換率を含み、以下同様である。このように、ポジションバリューテーブルにおける公開対象情報の転換率の区間ポジションは、ポジションバリューテーブルに従って決定されてもよい。例えば、第１の区間内の参考情報の転換率は0.05〜0.1であり、第２の区間内の参考情報の転換率は0.1〜0.13であり、第３の区間内の参考情報の転換率は、0.13〜0.2である。公開対象情報の転換率が0.15である場合、公開対象情報の転換率は、ポジションバリューテーブルの第３の区間内に位置する。
【００７６】
正規化処理モジュール66のポジション決定ユニット82は、区間決定ユニット81により取得された区間の開始値及び区間の終了値と、公開対象情報の転換率とに従って、ポジションバリューテーブルにおける公開対象情報の転換率のポジションを決定する。公開対象情報の転換率がポジションバリューテーブルの第３の区間内に位置する場合、区間の区間開始値は0.13であり、区間の区間終了値は0.2である。公開対象情報の転換率が0.15である場合、ポジションバリューテーブルにおける公開対象情報の転換率のポジションは、A+(0.15-0.13)/(0.2-0.13)/Bである。ここで、Aは全ての区間内の第３の区間の開始ポジションであり、Bは区間の総数である。ポジションバリューテーブルが１０個の区間に等しく分割される場合、Aの値は0.2であり、Bの値は10である。このように、ポジションバリューテーブルにおける公開対象情報の転換率のポジションは、0.2+(0.15-0.13)/(0.2-0.13)/10=0.228である。
【００７７】
正規化処理モジュール66の正規化処理ユニット83は、ポジションバリューテーブルにおける公開対象情報の転換率のポジションに従って、公開対象情報の正規化された転換率を決定し、ポジションはポジション決定ユニット82により取得される。ポジションバリューテーブルにおける最大の正規化された転換率が1である場合、公開対象情報の正規化された転換率は0.228である。
【００７８】
最後に、公開モジュール67は、正規化処理モジュール66により取得された異なるカテゴリの公開対象情報の正規化された転換率に従って、複数の公開対象情報を選択的に公開する。すなわち、等しい条件で、正規化された転換率が比較的高い公開対象情報が最初に公開され、それにより、情報公開の精度及び情報公開の公開効率を向上させる。
【００７９】
このように、この実施例における情報公開装置60の情報公開プロセスが完了する。前述の実施例に基づいて、この実施例における情報公開装置によれば、ポジションバリューテーブルの作成及び使用並びに参考情報の露出量及び転換率の修正により、広告情報公開の精度が更に向上する。
【００８０】
以下に、具体的な実施例を使用することにより、本発明の情報公開方法及び情報公開装置の具体的な動作原理を説明する。この具体的な実施例では、情報公開装置は、広告公開サーバである。
【００８１】
まず、広告公開サーバは、正規化された転換率を計算するための指定の期間を設定する。この具体的な実施例では、指定の期間は１０日であり、１日が時間ウィンドウとして使用される。このように、参考広告の１０個のウィンドウ転換率CVRtj及び１０個のウィンドウ露出量IMPtjが別々に取得され、jは参考広告の数であり、tは対応する時間ウィンドウの現時刻からの日数である。
【００８２】
次に、指定の期間内のウィンドウ露出量及びウィンドウ転換率は、以下の式を使用することにより修正され、指定の期間内の修正されたウィンドウ露出量及び修正されたウィンドウ転換率が合計され、それにより、指定の期間内の参考広告の転換率及び露出量を取得する。
【００８３】
【数１】
0006668492.tif 000002
ADCVRjは指定の期間内の番号がjである参考広告の転換率であり、ADIMPj
は指定の期間内の番号がjである参考広告の露出量である。Nは、指定の期間内
の合計日数であり、tは対応する時間ウィンドウの現時刻からの日数である。
【００８４】
さらに、全ての参考広告は、参考広告の転換率に従って昇順にソートされる。
【００８５】
さらに、ポジションバリューポイントは、露出量に従って全てのソートされた参考広告の転換率の中で設定される。この具体的な実施例では、露出量が合計露出量の0%であるポジションにおける参考広告の転換率は、第１のポジションバリューポイントとして使用され、露出量が合計露出量の10%であるポジションにおける参考広告の転換率は、第２のポジションバリューポイントとして使用され、以下同様に、露出量が合計露出量の100%であるポジションにおける参考広告の転換率は、第１１のポジションバリューポイントとして使用される。露出量が合計露出量の10%であるポジションにおける参考広告が存在しない場合、例えば、最初の１９個の参考広告の露出量の和が9.5%であり且つ最初の２０個の参考広告の露出量の和が10.3%である場合、露出量が合計露出量の10%であるポジションに最も近い参考広告（第２０の参考広告）の転換率のポジションが、第２のポジションバリューポイントとして使用される。
【００８６】
このように、様々なカテゴリの参考広告に対して前述の動作を実行することにより、カテゴリの参考広告に対応するポジションバリューテーブルが取得されてもよく、ポジションバリューテーブルは、対応する参考広告の転換率を示すために使用されるポジションバリューポイントを含む。
【００８７】
さらに、広告公開サーバは、複数の公開広告を取得し、対応するポジションバリューテーブルを使用することにより、公開広告のカテゴリに従って公開広告の転換率に対して正規化処理を実行する。広告Aがダウンロード型広告である場合、ダウンロード型広告に対応するポジションバリューテーブルが取得される。例えば、ポジションバリューテーブルは、[0.05,0.1,0.13,0.2,0.24,0.3,0.36,0.45,0.5,0.6,0.7]である。
【００８８】
すなわち、露出量が合計露出量の10%であるダウンロード型広告の転換率は0.1であり、露出量が合計露出量の60%であるダウンロード型広告の転換率は0.36であり、露出量が合計露出量の70%であるダウンロード型広告の転換率は0.45である。例えば、ダウンロード型広告の転換率は0.4であり、[0.36,0.45]の区間内にあり、したがって、ダウンロード型広告の正規化された転換率は、0.6+(0.4-0.36)/(0.45-0.36)/10=0.644である。
【００８９】
広告Bがフォロー型広告である場合、フォロー型広告に対応するポジションバリューテーブルが取得される。例えば、ポジションバリューテーブルは、[0.07,0.13,0.17,0.25,0.3,0.37,0.44,0.54,0.7,0.81]である。
【００９０】
すなわち、露出量が合計露出量の10%であるフォロー型広告の転換率は0.13であり、露出量が合計露出量の50%であるフォロー型広告の転換率は0.37であり、露出量が合計露出量の60%であるフォロー型広告の転換率は0.44である。例えば、フォロー型広告の転換率は0.4であり、[0.36,0.45]の区間内にあり、したがって、フォロー型広告の正規化された転換率は、0.5+(0.4-0.37)/(0.44-0.37)/10=0.543である。
【００９１】
最後に、広告公開サーバは、広告A及び広告Bを選択的に公開する。広告Aの正規化された転換率は、広告Bの正規化された転換率より大きく、したがって、広告Aの公開優先度は、広告Bの公開優先度より高い。
【００９２】
このように、この具体的な実施例における情報公開方法及び情報公開装置の情報公開プロセスが完了する。
【００９３】
本発明の実施例における情報公開方法及び情報公開装置によれば、正規化処理は、異なるカテゴリの参考情報のポジションバリューテーブルを使用することにより、公開対象情報に対して実行され、ポジションバリューテーブルの各区間において、参考情報の転換率についてのデータがデフォルトで等しく分配される。このように、正規化された転換率の計算精度を確保しつつ、正規化された転換率の計算複雑性が低減でき、それにより、広告情報公開の精度が向上でき、既存の情報公開方法及び情報公開装置の広告公開精度が比較的低いという技術的問題を解決する。
【００９４】
本発明の実施例は、コンピュータ記憶媒体を提供する。コンピュータ記憶媒体は、コンピュータ実行可能命令を記憶する。コンピュータ実行可能命令は、前述の情報公開方法のうち１つ以上、例えば、図１、図２、図３及び図４に示す方法のうち１つ以上を実行するために使用される。コンピュータ記憶媒体は、ランダムアクセス媒体RAM、読み取り専用記憶媒体ROM、フラッシュメモリ、USBディスク及び磁気テープのような様々な記憶媒体を含んでもよく、任意選択で非一時的な記憶媒体でもよい。
【００９５】
この明細書において使用される「コンポーネント」、「モジュール」、「システム」、「インタフェース」及び「プロセス」のような用語は、一般的に、コンピュータ関係のエンティティ、すなわち、ハードウェア、ハードウェアとソフトウェアとの組み合わせ、ソフトウェア又は実行中のソフトウェアを示すことを意図する。例えば、コンポーネントは、プロセッサ上で実行するプロセス、プロセッサ、オブジェクト、実行可能アプリケーション、実行スレッド、プログラム及び／又はコンピュータでもよく、これらに限定されない。図面に示すように、コンピュータ及びコントローラの双方において実行されているアプリケーションは、コンポーネントでもよい。１つ以上のコンポーネントは、プロセス及び／又は実行スレッド内に存在してもよく、コンポーネントは、１つのコンピュータに位置してもよく、及び／又は２つ以上のコンピュータの間に分散してもよい。
【００９６】
さらに、保護される必要のある対象物は、開示の対象物を実現するようにコンピュータを制御するソフトウェア、ファームウェア、ハードウェア又はこれらのいずれかの組み合わせを生成するために標準的なプログラミング及び／又はエンジニアリング技術を使用する方法、装置又はプロダクトとして実現されてもよい。この文献において使用される「プロダクト」という用語は、いずれかのコンピュータ読み取り可能デバイス、担体又は媒体からアクセス可能なコンピュータプログラムを含むことを意図する。明らかに、当業者は、保護される必要のある対象物の範囲又は真意に背くことなく、多くの変更が構成に対して実行されてもよいことを認識する。
【００９７】
図９及び以下の説明は、本発明の情報公開装置が実現される電子デバイスの動作環境をどのように実現するかについての簡単な概要を提供する。図９における動作環境は、適切な動作環境の例であり、動作環境の目的又は機能の範囲に対する何らかの限定を示唆することを意図するものではない。電子デバイス912の例は、パーソナルコンピュータ、サーバコンピュータ、ハンドヘルド又はラップトップデバイス、モバイルデバイス（移動電話、パーソナルデジタルアシスタント（PDA）又はメディアプレイヤ）、マルチプロセッサシステム、消費型電子デバイス、小型コンピュータ、大規模コンピュータ、前述のシステム又はデバイスのいずれかを含む分散コンピューティング環境等を含むが、これらに限定されない。
【００９８】
要件が存在するのではないが、実施例は、「コンピュータ読み取り可能命令」が１つ以上の電子デバイスにより実行されるという一般的背景のもとで記載される。コンピュータ読み取り可能命令は、コンピュータ読み取り可能媒体（以下で説明する）を使用することにより分配されてもよい。コンピュータ読み取り可能命令は、関数、オブジェクト、アプリケーションプログラミングインタフェース（API）又は特定のタスクを実行したり或いは特定の抽象データ型を実現したりするデータ構造のようなプログラムモジュールとして実現されてもよい。典型的には、コンピュータ読み取り可能命令の機能は、自由に結合又は分配されてもよい。
【００９９】
図９は、本発明の情報公開装置の１つ以上の実施例を含む電子デバイス912の例を示す。或る構成において、電子デバイス912は、少なくとも１つの処理ユニット916とメモリ918とを含む。電子デバイスの正確な構成及び種類に従って、メモリ918は、揮発性（例えば、RAM）、不揮発性（例えば、ROM又はフラッシュメモリ）又はこれら２つの組み合わせでもよい。構成は、点線914を使用することにより図９に示されている。
【０１００】
他の実施例では、電子デバイス912は、更なる特徴及び／又は機能を含んでもよい。例えば、デバイス912は、更なる記憶装置（例えば、取り外し可能及び／又は取り外し不可能記憶装置）を更に含んでもよい。更なる記憶装置は、磁気記憶装置、光学記憶装置等を含むが、これらに限定されない。この更なる記憶装置は、図９において記憶装置920として示されている。実施例では、この文献において提供される１つ以上の実施例を実現するために使用されるコンピュータ読み取り可能命令は、記憶装置920の中にあってもよい。記憶装置920は、オペレーティングシステム、アプリケーションプログラム等を実現するために使用される他のコンピュータ読み取り可能命令を記憶してもよい。コンピュータ読み取り可能命令は、例えば、処理ユニット916により実行されるために、メモリ918にロードされてもよい。
【０１０１】
この文献において使用される「コンピュータ読み取り可能媒体」という用語は、コンピュータ記憶媒体を含む。コンピュータ記憶媒体は、このようなコンピュータ読み取り可能命令又は他のデータのような情報を記憶するために使用されるいずれかの方法又は技術を使用することにより実現された揮発性又は不揮発性媒体及び取り外し可能又は取り外し不可能媒体を含む。メモリ918及び記憶装置920は、コンピュータ記憶媒体の例である。コンピュータ記憶媒体は、RAM、ROM、EEPROM、フラッシュメモリ若しくは他のメモリ技術、CD-ROM、デジタル多用途ディスク（DVD）若しくは他の光学記憶装置、カセットテープ、磁気ディスク記憶装置若しくは他の磁気記憶デバイス、又は想定される情報を記憶するために使用でき且つ電子デバイス912によりアクセスできる他の媒体を含むが、これらに限定されない。いずれかのこのようなコンピュータ記憶媒体は、電子デバイス912の一部でもよい。
【０１０２】
電子デバイス912は、電子デバイス912が他のデバイスと通信することを可能にする通信接続926を更に含んでもよい。通信接続926は、モデム、ネットワークインタフェースカード（NIC）、統合ネットワークインタフェース、無線周波数送信機／受信機、赤外線ポート、USB接続、又は電子デバイス912を他の電子デバイスに接続するために使用される他のインタフェースを含んでもよいが、これらに限定されない。通信接続926は、有線接続又は無線接続を含んでもよい。通信接続926は、通信媒体を送信及び／又は受信してもよい。
【０１０３】
「コンピュータ読み取り可能媒体」という用語は、通信媒体を含んでもよい。通信媒体は、典型的には、搬送波又は他の伝送機構のような「変調データ信号」内のコンピュータ読み取り可能命令又は他のデータを含み、いずれかの情報伝達媒体を含む。「変調データ信号」という用語は、信号の１つ以上の特性が、情報を信号に符号化する方式において設定又は変更されるような信号を含んでもよい。
【０１０４】
電子デバイス912は、キーボード、マウス、ペン、音声入力デバイス、タッチ入力デバイス、赤外線カメラ、ビデオ入力デバイス及び／又は他の入力デバイスのような入力デバイス924を含んでもよい。デバイス912はまた、１つ以上のディスプレイ、スピーカ、プリンタ及び／又は他の出力デバイスのような出力デバイス922を含んでもよい。入力デバイス924及び出力デバイス922は、有線接続、無線接続又は有線接続と無線接続とのいずれかの組み合わせを使用することにより、電子デバイス912に接続されてもよい。実施例では、他の電子デバイスからの入力デバイス又は出力デバイスが、電子デバイス912の入力デバイス924又は出力デバイス922として使用されてもよい。
【０１０５】
電子デバイス912のコンポーネントは、様々な相互接続（バス等）を使用することにより接続されてもよい。相互接続は、ペリフェラル・コンポーネント・インターコネクション（PCI）（高速PCI等）、ユニバーサルシリアルバス（USB）、ライブワイヤ（IEEE1394）、光学バス構造等を含んでもよい。他の実施例では、電子デバイス912のコンポーネントは、ネットワークを使用することにより相互接続されてもよい。例えば、メモリ918は、異なる物理位置に位置し且つネットワークを使用することにより相互接続された複数の物理メモリユニットを含んでもよい。
【０１０６】
当業者は、コンピュータ読み取り可能命令を記憶するために使用される記憶デバイスがネットワーク間で分散されてもよいことを習得する。例えば、ネットワーク928を使用することによりアクセス可能な電子デバイス930は、本発明により提供される１つ以上の実施例を実現するために使用されるコンピュータ読み取り可能命令を記憶してもよい。電子デバイス912は、電子デバイス930にアクセスし、実行のためにコンピュータ読み取り可能命令の一部又は全部をダウンロードしてもよい。代替として、電子デバイス912は、必要に応じて複数のコンピュータ読み取り可能命令をダウンロードしてもよく、或いはいくつかの命令が電子デバイス912において実行されてもよく且ついくつかの命令が電子デバイス930において実行されてもよい。
【０１０７】
この文献は、実施例の様々な動作を提供する。実施例では、１つ以上の動作は、コンピュータ読み取り可能媒体に記憶された１つ以上のコンピュータ読み取り可能命令を形成してもよく、命令が電子デバイスにより実行されるときに、計算デバイスが動作を実行する。一部又は全部の動作が記載される順序は、これらの動作が順序に関係する必要があるという暗示として解釈されるべきではない。当業者は、明細書の利益を有する別の順序を理解する。さらに、必ずしも全ての動作がこの文献において提供される各実施例に存在する必要はないことが理解されるべきである。
【０１０８】
この明細書において使用される「又は」という用語は、排他的な「又は」ではなく、包含的な「又は」を示すことを意図するものである。すなわち、別段の指定がない限り、或いは文脈において明らかでない限り、「XがA又はBを使用する」は、構成に自然に含まれるいずれか１つを意味する。すなわち、XがAを使用する場合、XがBを使用する場合、又はXがA及びBの双方を使用する場合、「XがA又はBを使用する」は、前述の例のいずれか１つにおいて満たされる。
【０１０９】
さらに、この開示は、１つ以上の実現に関して図示及び記載されているが、当業者は、明細書及び添付図面を読むこと及び理解することに基づいて、等価な変更及び変形を思い付く。この開示は、全ての変更及び変形を含み、特許請求の範囲のみにより限定されない。特に、前述のコンポーネント（エレメント又はリソース等）により実行される様々な機能について、コンポーネントの構造がこの文献に示す例示的な実現において機能を実行する開示の構造と同じでなくても、コンポーネントを説明するために使用される用語は、（別段の指定がない限り）コンポーネントの指定の機能を実行するいずれかのコンポーネントに対応する（例えば、これらが等価な機能を有する）ことを意図するものである。さらに、この開示の特定の特徴は、いくつかの実現のうち１つのみに関して開示されているが、この特徴は、所与の用途又は特定の用途について想定されるか或いは有利となる他の実現の１つ以上の他の特徴と組み合わされてもよい。さらに、「含む」、「有する」、「包含する」又はこれらの変形の用語が具体的な実現又は特許請求の範囲において使用される場合、これらの用語は、「含む」という用語の方式と同様の方式で含むことを意図する。
【０１１０】
本発明の実施例における機能ユニットは、１つの処理モジュールに統合されてもよく、或いはユニットのそれぞれが物理的に単独で存在してもよく、或いは２つ以上のユニットが１つのモジュールに統合される。統合されたモジュールは、ハードウェアの形式で実現されてもよく、或いはソフトウェア機能モジュールの形式で実現されてもよい。統合されたモジュールがソフトウェア機能モジュールの形式で実現されて独立したプロダクトとして販売又は使用されるときに、統合されたモジュールは、代替としてコンピュータ読み取り可能記憶媒体に記憶されてもよい。前述の記憶媒体は、読み取り専用メモリ、磁気ディスク又は光ディスク等でもよい。前述の装置又はシステムは、対応する方法の実施例における方法を実行してもよい。処理モジュールは、プロセッサ又は処理回路に対応してもよい。プロセッサは、中央処理装置、マイクロプロセッサ、デジタルシグナルプロセッサ、アプリケーションプロセッサ又はプログラマブルアレイを含んでもよく、処理回路は、特定用途向け集積回路でもよい。
【０１１１】
要するに、本発明が実施例を使用することにより上記のように開示されているが、実施例は、本発明を限定するために使用されるものではない。本発明の原理に従って行われるいずれかの変更は、本発明の保護範囲内に入るものとして理解されるべきである。
【図１】
0006668492.tif 000003
【図２】
0006668492.tif 000004
【図３】
0006668492.tif 000005
【図４】
0006668492.tif 000006
【図５】
0006668492.tif 000007
【図６】
0006668492.tif 000008
【図７】
0006668492.tif 000009
【図８】
0006668492.tif 000010
【図９】
0006668492.tif 000011